(57)【要約】【課題】装置の操作方法に対する熟練度が低い作業者であっても、無駄な作業量及びミスの発生確率を低減しつつ、音声映像データが要求仕様に適合しているか否かについて検査することができる。【解決手段】音声映像データ検査装置１０は、要求仕様を設定する仕様設定部１８と、映像パラメータの値及び音声パラメータの値が要求仕様に規定されている範囲内の値となっているか否かについて判定する判定部１９と、映像パラメータの値と音声パラメータの値と判定結果とを表示するパラメータ表示部２０と、映像データを再生する音声映像データ再生部１３と、グラフにおいて音声映像データの再生時刻に対応させて音声信号の波高値を表示するグラフ表示部１５とを具備し、グラフ表示部１５は、グラフ上で、要求仕様に規定されている範囲を表示し、音声映像データ再生部１３により再生中の音声映像データの再生時刻に対応する音声信号の波高値を示す。【選択図】  図２
2008079164.tif 000002
【特許請求の範囲】
【請求項１】
入力された音声映像データが要求仕様に適合しているか否かについて検査する音声映像データ検査装置であって、
入力された前記音声映像データを構成する映像データについての映像パラメータの値を算出する映像パラメータ算出部と、
入力された前記音声映像データを構成する音声データを音声信号に変換する変換部と、
変換された前記音声信号についての音声パラメータの値を算出する音声パラメータ算出部と、
前記要求仕様を設定する仕様設定部と、
前記映像パラメータの値及び前記音声パラメータの値が、設定された前記要求仕様に規定されている範囲内の値となっているか否かについて判定する判定部と、
算出された前記映像パラメータの値と、算出された前記音声パラメータの値と、前記判定結果とを表示するパラメータ表示部と、
前記音声映像データを再生する音声映像データ再生部と、
グラフにおいて、入力された前記音声映像データの再生時刻に対応させて、該音声映像データを構成する音声データを変換することによって得られた前記音声信号の波高値を表示するグラフ表示部とを具備し、
前記グラフ表示部は、前記グラフにおいて、前記要求仕様に規定されている範囲を表示し、
前記グラフ表示部は、前記グラフにおいて、前記音声映像データ再生部により再生されている音声映像データの再生時刻に対応する音声信号の波高値を示すことを特徴とする音声映像データ検査装置。
【請求項２】
前記パラメータ表示部は、前記映像パラメータの値及び前記音声パラメータの値と、前記要求仕様に規定されている範囲における上限値又は下限値との差分を表示することを特徴とする請求項１に記載の音声映像データ検査装置。
【請求項３】
前記音声パラメータ算出部は、指定された算出範囲における前記音声信号についての音声パラメータの値を算出することを特徴とする請求項１又は２に記載の音声映像データ検査装置。
【発明の詳細な説明】
【技術分野】
【０００１】
本発明は、入力された音声映像データが要求仕様に適合しているか否かについて検査する音声映像データ検査装置に関する。
【背景技術】
【０００２】
従来、ＣＭ用又はムービー（番組や映画）用の音声映像データの作成及び配信（放送）が別々の事業者により担われている広告分野では、かかる音声映像データの放送品質を均一に保つために、音声映像データの作成事業者は、音声映像データが、事前に定められている要求仕様に適合しているか否かについて検査した上で、納品するように求められている。
【発明の開示】
【発明が解決しようとする課題】
【０００３】
しかしながら、かかる音声映像データの検査では、かかる音声映像データに対して検査を行う者（例えば、音声映像データの作成事業者、以下、音声映像データの検査者）は、複数の装置を用いて、かかる音声映像データの各種パラメータの値を計測する必要があるため、当該複数の装置の操作方法について精通している必要であった。
【０００４】
また、かかる音声映像データの検査では、音声映像データの検査者は、多くのパラメータの値について、上述の計測処理を行った後、上述の要求仕様に規定されている範囲内の値となっているか否かについて判定する必要があるため、かかる過程で、ミスが発生しやすいという問題点があった。
【０００５】
さらに、かかる音声映像データの検査では、検査結果は、各種パラメータの値が、上述の要求仕様に規定されている範囲内の値であるか否かについて示すものであるため、かかる検査結果を見ただけでは、音声映像データのどの部分が、上述の要求仕様を満たしていないのかについて分からないという問題点があった。
【０００６】
そのため、入力された音声映像データの一部分のみが、上述の要求仕様を満たしていない場合であっても、音声映像データの作成者は、かかる音声映像データを、最初から作成し直さなければならないという問題点があった。
【０００７】
例えば、ＶＴＲにより録画されたＣＭにおいて、当該音声映像データを構成する音声信号の波高値が、上述の要求仕様により規定されている範囲に収まっている場合でも、当該ＣＭを上述の要求仕様により規定されているコーデックに変換された結果、方式の違いから、上述の要求仕様により規定されている範囲に収まっていない音声映像データが生成されることがある。
【０００８】
本来であれば、元となるＣＭが、上述の要求仕様に合致しているので、上述の要求仕様のコーデックへの変換作業時に、上述の要求仕様外となる部分を特定し対処すれば良いが、上述の要求仕様と異なる時間軸部位の特定や、上述の要求仕様との差異の数値を、上述の音声映像データから直接把握することができず、再度、かかるＣＭを、ＶＴＲの段階から調整することが必要となり、音響設備の設定等から始めてしまい、無駄な作業が行われてしまうという問題点があった。
【０００９】
また、上述の要求仕様のコーデックへの変換作業時の対処でも、たった一箇所の音声信号の波高値が上述の範囲外になったことを特定できず、ＣＭ全体における音声信号の波高値を下げる対処を余儀なくされ、聞き取りにくいＣＭとなり表現効果を損なうことがあった。
【００１０】
そこで、本発明は、上述の課題に鑑みてなされたものであり、単一の装置を用いて音声映像データの各種パラメータの値を計測することができ、かかる装置の操作方法に対する熟練度が低い作業者であっても、無駄な作業量及びミスの発生確率を低減しつつ、音声映像データが要求仕様に適合しているか否かについて検査することができる音声映像データ検査装置を提供することを目的とする。
【課題を解決するための手段】
【００１１】
本発明の第１の特徴は、入力された音声映像データが要求仕様に適合しているか否かについて検査する音声映像データ検査装置であって、入力された前記音声映像データを構成する映像データについての映像パラメータの値を算出する映像パラメータ算出部と、入力された前記音声映像データを構成する音声データを音声信号に変換する変換部と、変換された前記音声信号についての音声パラメータの値を算出する音声パラメータ算出部と、前記要求仕様を設定する仕様設定部と、前記映像パラメータの値及び前記音声パラメータの値が、設定された前記要求仕様に規定されている範囲内の値となっているか否かについて判定する判定部と、算出された前記映像パラメータの値と、算出された前記音声パラメータの値と、前記判定結果とを表示するパラメータ表示部と、前記音声映像データを再生する音声映像データ再生部と、グラフにおいて、入力された前記音声映像データの再生時刻に対応させて、該音声映像データを構成する音声データを変換することによって得られた前記音声信号の波高値を表示するグラフ表示部とを具備し、前記グラフ表示部は、前記グラフにおいて、前記要求仕様に規定されている範囲を表示し、前記グラフ表示部は、前記グラフにおいて、前記音声映像データ再生部により再生されている音声映像データの再生時刻に対応する音声信号の波高値を示すことを要旨とする。
【００１２】
かかる発明によれば、単一の音声映像データ検査装置を用いて、音声映像データの各種パラメータ（映像パラメータ及び音声パラメータ）の値を計測することができる。
【００１３】
また、かかる発明によれば、音声映像データ検査装置に対して、音声映像データを入力し、要求仕様を設定するだけで、映像パラメータの値及び音声パラメータの値が、設定された要求仕様に規定されている範囲内の値となっているか否かについて判定した結果を表示するように構成されているため、当該音声映像データ検査装置の操作方法に対する熟練度が低い作業者であっても、無駄な作業量及びミスの発生確率を低減しつつ、音声映像データが要求仕様に適合しているか否かについて検査することができる。
【００１４】
本発明の第１の特徴において、前記パラメータ表示部は、前記映像パラメータの値及び前記音声パラメータの値と、前記要求仕様に規定されている範囲における上限値又は下限値との差分を表示してもよい。
【００１５】
かかる発明によれば、音声映像データの各種パラメータの値が、どの程度、要求仕様によって規定されている範囲から外れているかについて、容易に把握することができる。
【００１６】
本発明の第１の特徴において、前記音声パラメータ算出部は、指定された算出範囲における前記音声信号についての音声パラメータの値を算出してもよい。
【００１７】
かかる発明によれば、指定された算出範囲における音声パラメータの値を算出し、算出した音声パラメータの値が、要求仕様によって規定されている範囲内の値であるか否かについて判定することができるため、要求仕様に適合していない範囲の音声信号を探索することができる。
【発明の効果】
【００１８】
以上説明したように、本発明によれば、単一の装置を用いて音声映像データの各種パラメータを計測することができ、かかる装置の操作方法に対する熟練度が低い作業者であっても、無駄な作業量及びミスの発生確率を低減しつつ、音声映像データが要求仕様に適合しているか否かについて検査することができる音声映像データ検査装置を提供することができる。
【発明を実施するための最良の形態】
【００１９】
（本発明の第１の実施形態に係る音声映像データ検査装置）
図１乃至図３を参照して、本発明の第１の実施形態に係る音声映像データ検査装置１０の構成について説明する。
【００２０】
図１に示すように、本実施形態に係る音声映像データ検査装置１０は、読込部１１と、音声映像データ再生部１２と、映像パラメータ算出部１３と、ＰＣＭ処理部１４と、ＰＰＭグラフ表示部１５と、算出範囲指定部１６と、音声パラメータ算出部１７と、仕様設定部１８と、判定部１９と、パラメータ表示部２０とを具備している。
【００２１】
本実施形態に係る音声映像データ検査装置１０は、音声映像データの検査者によって入力された当該音声映像データが要求仕様に適合しているか否かについて検査するように構成されている。
【００２２】
読込部１１は、記録媒体やネットワークを介して外部から音声映像データを読み込み、音声映像データ再生部１３に入力するように構成されている。
【００２３】
ここで、音声映像データは、ＭＰＥＧ-１方式やＭＰＥＧ-２方式やＨ.２４６方式や３ＧＰＰ２方式やＷｉｎｄｏｗｓ（登録商標）  Ｍｅｄｉａ  Ｖｉｄｅｏ方式等のファイルによって構成されているものとする。
【００２４】
また、読込部１１は、読み込んだ音声映像データから、当該音声映像データを構成する映像データを抽出して、映像パラメータ算出部１２に対して入力するように構成されている。なお、読込部１１は、映像パラメータ算出部１２に対して、読み込んだ音声映像データそのものを入力するように構成されていてもよい。
【００２５】
また、読込部１１は、読み込んだ音声映像データから、当該音声映像データを構成する音声データを抽出して、ＰＣＭ処理部１４に対して入力するように構成されている。なお、読込部１１は、ＰＣＭ処理部１４に対して、読み込んだ音声映像データそのものを入力するように構成されていてもよい。
【００２６】
また、読込部１１は、図２に示すように、読み込んだ音声映像データのヘッダ情報を解析することによって、ファイルサイズ（Ｆｉｌｅ  Ｓｉｚｅ）や、再生期間（Ｄｕｒａｔｉｏｎ）や、音声データ及び映像データの総データレート（Ｄａｔａ  Ｒａｔｅ）等の特定パラメータを算出し、パラメータ表示領域３４に表示するように構成されていてもよい。
【００２７】
ここで、読込部１１は、算出された特定パラメータの値（Ｍｅａｓｕｒｅｍｅｎｔ）と、要求仕様（後述）に規定されている範囲（Ｒｅｇｕｒａｔｉｏｎ）と、
当該特定パラメータの値が当該要求仕様に規定されている範囲内の値であるか否かについての判定結果（Ｑｕａｌｉｔｙ）と、当該特定パラメータの値と当該要求仕様に規定されている範囲における上限値又は下限値との差分（Ｄｉｆｆｅｒｅｎｃｅ）とを表示するように構成されている。
【００２８】
映像パラメータ算出部１２は、読込部１１から入力された音声映像データを構成する映像データについての映像パラメータの値を算出するように構成されている。
【００２９】
具体的には、映像パラメータ算出部１２は、読込部１１から入力された音声映像データを構成する映像データのヘッダ情報を解析することによって、上述の映像パラメータの値として、映像コーデックや、フレームサイズ又は画面サイズ（ピクセル）や、フレームレート（ｆｐｓ）や、映像データレート（ｂｐｓ）等を算出するように構成されている。
【００３０】
なお、映像パラメータ算出部１２は、読込部１１から音声映像データそのものを受信した場合、かかる音声映像データから、当該音声映像データを構成する映像データを抽出するように構成されている。
【００３１】
また、映像パラメータ算出部１２は、ユーザによって図２における分析指示領域３８内の「Ｖｉｄｅｏ」枠内の「Ａｎａｌｙｓｉｓ」ボタンがクリックされた場合に、上述の映像パラメータの値を算出するように構成されている。
【００３２】
音声映像データ再生部１３は、読込部１１から入力された音声映像データを再生するように構成されている。
【００３３】
具体的には、音声映像データ再生部１３は、図２における音声映像データ再生領域３５において、音声映像データを再生するように構成されている。
【００３４】
なお、音声映像データ再生部１３は、図２に示すように、再生時刻表示領域３６において、音声映像データ再生領域３５において再生中である音声映像データの再生時刻を表示するように構成されている。
【００３５】
また、ユーザは、図２における再生操作領域３７に表示されている操作ボタンをクリックすることによって、音声映像データ再生領域３５における音声映像データに対する再生操作（例えば、再生開始、再生停止、巻き戻し、早送り等）を行うことができる。
【００３６】
ＰＣＭ（Ｐｕｌｓｅ  Ｃｏｄｅ  Ｍｏｄｕｌａｔｉｏｎ）処理部１４は、読取部１１から入力された音声映像データを構成する音声データを音声信号に変換するように構成されている。具体的には、ＰＣＭ処理部１４は、各種音声コーデックのデジタルデータである音声データを、非圧縮デジタル音声信号（ＰＣＭ）に変換するように構成されている。
【００３７】
なお、ＰＣＭ処理部１４は、読込部１１から音声映像データそのものを受信した場合、かかる音声映像データから、当該音声映像データを構成する音声データを抽出するように構成されている。
【００３８】
ＰＰＭグラフ表示部１５は、図３に示すように、ＰＰＭ（Ｐｅａｋ  Ｐｒｏｇｒａｍ  Ｍｅｔｅｒ）グラフのＰＰＭグラフ表示領域６１において、入力された音声映像データの再生時刻に対応させて、かかる音声映像データを構成する音声データを変換することによって得られた音声信号の波高値を表示するように構成されている。
【００３９】
また、ＰＰＭグラフ表示部１５は、ＰＰＭグラフのＰＰＭグラフ表示領域６１において、仕様設定部１８により設定されている要求仕様に規定されている範囲を表示するように構成されている。図３の例では、かかる要求仕様に規定されている範囲として、音声パワーピーク値（＝−２.００ｄＢｆｓ）が表示されている。
【００４０】
さらに、ＰＰＭグラフ表示部１５は、図３に示すように、ＰＰＭグラフのＰＰＭグラフ表示領域６１において、音声映像データ再生部１３により再生されている音声映像データの再生時刻に対応する音声信号の波高値を示すように構成されている。
【００４１】
具体的には、音声映像データ再生部１３が、音声映像データを再生している場合、ＰＰＭグラフ表示部１５は、ＰＰＭグラフ表示領域６１における「再生位置１２（ポインタ）」を移動することによって、当該音声映像データの再生時刻を示すように構成されている。
【００４２】
なお、ＰＰＭグラフ表示部１５は、図３に示すように、ＰＰＭグラフのＰＰＭグラフ表示領域６１において、後述する算出範囲指定部１６により指定された算出範囲（図３における算出範囲６３）について表示するように構成されている。
【００４３】
また、ユーザは、図２における音声分析モード選択領域３２において、「Ａｕｄｉｏ  Ａｎａｌｙｓｉｓ  Ｍｏｄｅ」を、「ＣＭ  ＭＯＤＥ」と「ＭＯＶＩＥ  ＭＯＤＥ」との間で切り替えることによって、ＰＰＭグラフにおける再生時刻の表示範囲（横軸の表示範囲）を変更することができる。
【００４４】
ここで、「ＣＭ  ＭＯＤＥ」は、１５〜３０秒という短く、かつ、精度の高い測定を必要とするＣＭ用の音声映像データに係る音声信号の波高値を表示するためのモードであり、「ＭＯＶＩＥ  ＭＯＤＥ」は、数十分という長い測定を必要とするムービー用の音声映像データに係る音声信号の波高値を表示するためのモードである。
【００４５】
例えば、ＰＰＭグラフ表示部１５は、ユーザにより「ＣＭ  ＭＯＤＥ」が選択されている場合、ＰＰＭグラフ全体の再生時刻の範囲を１５〜３０秒程度とし、ユーザにより「ＭＯＶＩＥ  ＭＯＤＥ」が選択されている場合、ＰＰＭグラフ全体の再生時刻の範囲を数十分単位とする。
【００４６】
算出範囲指定部１６は、音声パラメータ算出１７において、音声信号についての音声パラメータの値を算出するための算出範囲を指定するように構成されている。
【００４７】
音声パラメータ算出部１７は、読込部１１から入力されたＰＣＭ処理部１４によって変換された音声信号についての音声パラメータの値を算出するように構成されている。
【００４８】
具体的には、音声パラメータ算出部１７は、上述の音声パラメータの値として、音声コーデックや、音声サンプリングレート（ｋｈｚ）や、音声量子化レート（ｂｉｔ）や、音声チャネル数や、音声データレート（ｂｐｓ）等を算出するように構成されている。
【００４９】
また、音声パラメータ算出部１７は、上述の音声パラメータの値として、音声パワーピーク値又は瞬間強度最高値（ｄＢｆｓ）や、音声強度二乗平均（３００ｍ秒二乗平均）（ｄＢｆｓ）や、音声強度二乗平均（任意秒二乗平均）（ｄＢｆｓ）や、音声強度二乗平均（ファイル総時間二乗平均）（ｄＢｆｓ）等を算出するように構成されている。
【００５０】
なお、ユーザは、図２における分析指示領域３８内の「Ａｕｄｉｏ」枠内の「Ｒａｎｇｅ  Ａｎａｌｙｓｉｓ」ボタンをクリックすることによって（チェックボックス「３００ｍｓ」又はプルダウンメニューを用いて）、音声パラメータ算出部１７により算出される音声強度二乗平均（ＲＭＳ：Ｒｏｏｔ  Ｍｅａｎ  Ｓｑｕａｒｅ）の時間範囲を選択することができる。
【００５１】
また、音声パラメータ算出部１７は、ユーザによって図２における分析指示領域３８内の「Ａｕｄｉｏ」枠内の「Ａｎａｌｙｓｉｓ」ボタンがクリックされた場合に、上述の音声パラメータの値を算出するように構成されている。
【００５２】
また、音声パラメータ算出部１７は、算出範囲指定部１６によって指定された算出範囲における音声信号についての音声パラメータの値を算出するように構成されている。
【００５３】
仕様設定部１８は、ユーザからの指示に応じて、上述の要求仕様を設定するように構成されている。
【００５４】
具体的には、ユーザが、図２に示す仕様設定領域３１内の「Ｒｅｇｕｒａｔｉｏｎ（要求仕様全体を定義する設定データ）」を選択した場合に、又は、仕様ファイル選択領域３３において「仕様ファイル（要求仕様によって規定されている範囲を記載しているファイル）」を選択した場合に、仕様設定部１８は、上述の要求仕様を設定するように構成されている。
【００５５】
判定部１９は、映像パラメータ算出部１２により算出された映像パラメータの値及び音声パラメータ算出部１７により算出された音声パラメータの値が、仕様設定部１８により設定された要求仕様に規定されている範囲内の値となっているか否かについて判定するように構成されている。
【００５６】
パラメータ表示部２０は、図２におけるパラメータ表示部３４内の「Ｖｉｄｅｏ」枠内に、映像パラメータ算出部１２により算出された映像パラメータの値（Ｍｅａｓｕｒｅｍｅｎｔ）と、要求仕様（後述）に規定されている範囲（Ｒｅｇｕｒａｔｉｏｎ）と、当該映像パラメータの値が当該要求仕様に規定されている範囲内の値であるか否かについての判定結果（Ｑｕａｌｉｔｙ）と、当該映像パラメータの値と当該要求仕様に規定されている範囲における上限値又は下限値との差分（Ｄｉｆｆｅｒｅｎｃｅ）とを表示するように構成されている。
【００５７】
具体的には、パラメータ表示部２０は、図２に示すように、上述の映像パラメータの値として、映像コーデック（Ｃｏｄｅｃ）や、フレームサイズ又は画面サイズ（Ｆｒａｍｅ  Ｓｉｚｅ）や、フレームレート（Ｆｒａｍｅ  Ｒａｔｅ）や、映像データレート（Ｄａｔａ  Ｒａｔｅ）等を表示するように構成されている。
【００５８】
また、パラメータ表示部２０は、図２におけるパラメータ表示部３４内の「Ａｕｄｉｏ」枠内に、音声パラメータ算出部１７により算出された音声パラメータの値（Ｍｅａｓｕｒｅｍｅｎｔ）と、要求仕様（後述）に規定されている範囲（Ｒｅｇｕｒａｔｉｏｎ）と、当該音声パラメータの値が当該要求仕様に規定されている範囲内の値であるか否かについての判定結果（Ｑｕａｌｉｔｙ）と、当該音声パラメータの値と当該要求仕様に規定されている範囲における上限値又は下限値との差分（Ｄｉｆｆｅｒｅｎｃｅ）とを表示するように構成されている。
【００５９】
具体的には、パラメータ表示部２０は、図２に示すように、上述の音声パラメータの値として、音声コーデック（Ｃｏｄｅｃ）や、音声サンプリングレート（Ｓａｍｐｌｅ  Ｒａｔｅ）や、音声量子化レート（Ｓａｍｐｌｅ  Ｓｉｚｅ）や、音声チャネル数（Ｃｈａｎｎｅｌｓ）や、音声データレート（Ｄａｔａ  Ｒａｔｅ）等を表示するように構成されている。
【００６０】
また、パラメータ表示部２０は、図２に示すように、上述の音声パラメータの値として、音声パワーピーク値又は瞬間強度最高値（Ｐｅａｋ  Ａｍｐ．）や、音声強度二乗平均（３００ｍ秒二乗平均）（ＲＭＳ  Ｐｏｗｅｒ  Ｍａｘ１．）や、音声強度二乗平均（任意秒二乗平均）（ＲＭＳ  Ｐｏｗｅｒ  Ｍａｘ２．）や、音声強度二乗平均（ファイル総時間二乗平均）（ＲＭＳ  Ｐｏｗｅｒ  Ａｖｇ．）等を表示するように構成されている。
【００６１】
（本発明の第１の実施形態に係る音声映像データ検査装置の動作）
以下、図４及び図５を参照して、本実施形態に係る音声映像データ検査装置１０の動作について説明する。
【００６２】
第１に、図４を参照して、本実施形態に係る音声映像データ検査装置１０によるパラメータ表示領域３４の表示動作について説明する。
【００６３】
図４に示すように、ステップＳ１０１において、読込部１１が、外部から音声映像データの読込を行う。
【００６４】
ステップＳ１０２において、映像パラメータ算出部１２が、読込部１１から入力された音声映像データを構成する映像データについての映像パラメータ（例えば、映像コーデック等）を算出して、パラメータ表示部２０が、算出した映像パラメータをパラメータ表示領域３４に表示する（図２における「Ｍｅａｓｕｒｅｍｅｎｔ（Ｖｉｄｅｏ）」）。
【００６５】
また、ＰＣＭ処理部１４が、読込部１１から入力された音声映像データを構成する音声データ（デジタルデータ）を音声信号（アナログ信号）に変換し、音声パラメータ算出部１７が、変換された音声信号についての音声パラメータ（例えば、音声強度二乗平均等）を算出して、パラメータ表示部２０が、算出した音声パラメータをパラメータ表示領域３４に表示する（図２における「Ｍｅａｓｕｒｅｍｅｎｔ（Ａｕｄｉｏ）」）。
【００６６】
ステップＳ１０３において、ユーザが、仕様設定領域３１又は仕様ファイル選択領域３３における選択処理によって要求仕様を指定し、仕様設定部１８が、かかる指定に応じて、要求仕様を設定する。
【００６７】
その後、パラメータ表示部２０が、設定された要求仕様をパラメータ表示領域３４に表示する（図２における「Ｒｅｇｕｒａｔｉｏｎ（Ａｕｄｉｏ/Ｖｉｄｅｏ）」）。
【００６８】
なお、ステップＳ１０３は、ステップＳ１０１の前、又は、ステップＳ１０１とステップＳ１０２との間で行われてもよい。
【００６９】
ステップＳ１０４において、判定部１９が、映像パラメータ算出部１２により算出された映像パラメータの値及び音声パラメータ算出部１７により算出された音声パラメータの値が、仕様設定部１８により設定された要求仕様に規定されている範囲内の値となっているか否かについて判定する。
【００７０】
ステップＳ１０５において、パラメータ表示部２０が、当該音声パラメータの値が当該要求仕様に規定されている範囲内の値であるか否かについての判定結果（図２における「Ｑｕａｌｉｔｙ」）と、当該音声パラメータの値と当該要求仕様に規定されている範囲における上限値又は下限値との差分（図２における「Ｄｉｆｆｅｒｅｎｃｅ」）とを表示する。
【００７１】
また、パラメータ表示部２０が、当該映像パラメータの値が当該要求仕様に規定されている範囲内の値であるか否かについての判定結果（図２における「Ｑｕａｌｉｔｙ」）と、当該映像パラメータの値と当該要求仕様に規定されている範囲における上限値又は下限値との差分（図２における「Ｄｉｆｆｅｒｅｎｃｅ」）とを表示する。
【００７２】
第２に、図５を参照して、本実施形態に係る音声映像データ検査装置１０が、音声映像データに対する図４の処理を完了後に、かかる音声映像データを再生する動作について説明する。
【００７３】
図５に示すように、ステップＳ２０１において、ＰＰＭグラフ表示部１５が、図３に示すように、縦軸に「音声信号の波高値」を表示し、横軸の「音声映像データの再生時刻」を表示するＰＰＭグラフを表示する。
【００７４】
ステップＳ２０２において、ユーザが、図２における再生操作領域３７に表示されている操作ボタンをクリックすることによって、音声映像データ再生領域３５における音声映像データに対する再生操作（例えば、再生開始、再生停止、巻き戻し、早送り等）を行う。
【００７５】
ステップＳ２０３において、音声映像データ再生部１３が、ユーザによる再生操作に応じて、図２における音声映像データ再生領域において、当該音声映像データを再生すると共に、図２における再生時刻表示領域３６において、当該音声映像データの再生時刻を表示する。
【００７６】
その際、ＰＰＭグラフ表示部１５が、図３に示すように、ＰＰＭグラフのＰＰＭグラフ表示領域６１において、音声映像データ再生部１３により再生されている音声映像データの再生時刻に対応する音声信号の波高値を示す、すなわち、ＰＰＭグラフにおいて、図２における再生時刻表示領域３６で表示されている当該音声映像データの再生時刻に対応する再生位置６２を示す。
【００７７】
（本発明の第１の実施形態に係る音声映像データ検査装置の作用・効果）
本実施形態に係る音声映像データ検査装置１０によれば、単一の音声映像データ検査装置１０を用いて、音声映像データの各種パラメータ（映像パラメータ及び音声パラメータ）の値を計測することができる。
【００７８】
また、本実施形態に係る音声映像データ検査装置１０によれば、音声映像データ検査装置１０に対して、音声映像データを入力し、要求仕様を設定するだけで、映像パラメータの値及び音声パラメータの値が、設定された要求仕様に規定されている範囲内の値となっているか否かについて判定した結果を表示するように構成されているため、当該音声映像データ検査装置１０の操作方法に対する熟練度が低い作業者であっても、無駄な作業量及びミスの発生確率を低減しつつ、音声映像データが要求仕様に適合しているか否かについて検査することができる。
【００７９】
また、本実施形態に係る音声映像データ検査装置１０によれば、音声映像データの各種パラメータの値が、どの程度、要求仕様によって規定されている範囲から外れているかについて、容易に把握することができる。
【００８０】
また、本実施形態に係る音声映像データ検査装置１０によれば、指定された算出範囲における音声パラメータの値を算出し、算出した音声パラメータの値が、要求仕様によって規定されている範囲内の値であるか否かについて判定することができるため、要求仕様に適合していない範囲の音声信号を探索することができる。
【図面の簡単な説明】
【００８１】
【図１】本発明の第１の実施形態に係る音声映像データ検査装置の機能ブロック図である。
【図２】本発明の第１の実施形態に係る音声映像データ検査装置の表示画面の一例を示す図である。
【図３】本発明の第１の実施形態に係る音声映像データ検査装置の表示画面の一例を示す図である。
【図４】本発明の第１の実施形態に係る音声映像データ検査装置において音声映像データの検査結果を表示する動作について説明するフローチャートである。
【図５】本発明の第１の実施形態に係る音声映像データ検査装置において映像データを再生する動作について説明するフローチャートである。
【符号の説明】
【００８２】
１０…音声映像データ検査装置
１１…読込部
１２…音声映像データ再生部
１３…映像パラメータ算出部
１４…ＰＣＭ処理部
１５…ＰＰＭグラフ表示部
１６…算出範囲指定部
１７…音声パラメータ算出部
１８…仕様設定部
１９…判定部
２０…パラメータ表示部
【図１】
2008079164.tif 000003
【図２】
2008079164.tif 000004
【図３】
2008079164.tif 000005
【図４】
2008079164.tif 000006
【図５】
2008079164.tif 000007